【手続補正書】
【提出日】平成18年4月5日(2006.4.5)
【手続補正１】
【補正対象書類名】明細書
【補正対象項目名】特許請求の範囲
【補正方法】変更
【補正の内容】
【特許請求の範囲】
【請求項１】
（ａ）化合物の重量に対し１〜６重量％のアルコキシシラン基含有量（Ｓｉ、ＭＷ２８として計算）を有すると共に、水との安定な分散物を形成するのに充分な化学組込みされた親水性基を有する化合物（ここでアルコキシシラン基は、
（ｉ）２．４の最小平均官能価を有すると共に少なくとも５０重量％のポリイソシアネートアダクトを含有するポリイソシアネート成分と、
（ii）式Ｉ
【化１】
2000119594.tif 000001
［式中、
Ｘは１００℃未満でイソシアネート基に対し不活性である同一もしくは異なる有機基を示し、ただしこれら基の少なくとも１個はアルコキシ基であり、
Ｒ1 は１００℃もしくはそれ以下の温度にてイソシアネート基に対し不活性である有機基を示し、
ｎは１〜８の整数である］
に対応するアミノ化合物と
の反応生成物として組み込まれる）、および
（ｂ）エステル基および／またはカーボネート基を有すると共にポリヒドロキシ化合物の重量に対し５重量％未満のウレタン基含有量を有するポリヒドロキシ化合物
を含んでなることを特徴とする水性２−成分組成物。
【請求項２】
前記アミノ化合物が式ＩＩＩ
【化２】
2000119594.tif 000002
［式中、
ＺはＣＯＯＲ5 もしくは芳香族環を示し、
Ｒ2 およびＲ5 は同一もしくは異なるものであって１００℃もしくはそれ以下の温度でイソシアネート基に対し不活性である有機基を示し、
Ｒ3 およびＲ4 は同一もしくは異なるものであって水素または１００℃もしくはそれ以下の温度にてイソシアネート基に対し不活性である有機基を示す］
に対応する請求項１に記載の組成物。
【請求項３】
Ｘが１〜４個の炭素原子を有する同一もしくは異なるアルキルもしくはアルコキシ基を示し、ＺがＣＯＯＲ5 を示し、
Ｒ2 およびＲ5 が同一もしくは異なるものであって１〜９個の炭素原子を有するアルキル基を示し、
Ｒ3 およびＲ4 が水素を示し、
ｎが２〜４の整数である
請求項２に記載の組成物。
【請求項４】
Ｘが１〜４個の炭素原子を有する同一もしくは異なるアルコキシ基を示し、
ＺがＣＯＯＲ5 を示し、
Ｒ2 およびＲ5 が同一もしくは異なるものであってメチル、エチルもしくはブチルを示し、
Ｒ3 およびＲ4 が水素を示し、
ｎが３である
請求項２に記載の組成物。
【請求項５】
ポリイソシアネート成分が少なくとも２．８の最小平均官能価を有すると共に少なくとも７０重量％のポリイソシアネートアダクトを含有する請求項１〜４のいずれかに記載の組成物。
【請求項６】
前記ポリイソシアネートアダクトがイソシアヌレート基、ビウレット基、アロファネート基および／またはウレトジオン基を有する請求項５に記載の組成物。
【請求項７】
前記ポリヒドロキシ化合物がエステル基を有する請求項６に記載の組成物。
【請求項８】
請求項１に記載の組成物から作成されるコーチング、封止剤または接着剤。
【請求項９】
請求項１に記載の組成物から作成されるコーチング。
【手続補正２】
【補正対象書類名】明細書
【補正対象項目名】００１１
【補正方法】変更
【補正の内容】
【００１１】
アルコキシシラン基とアミノ基とを有する化合物を、尿素基とアルコキシシラン基とを有する化合物の重量に対し１〜６重量％、好ましくは２〜６重量％、より好ましくは２〜５重量％のアルコキシシラン基（Ｓｉ、ＭＷ２８として計算）を組込むのに充分な量にて反応させる。式ＩＩＩの化合物は無色〜淡黄色である。これらをポリイソシアネート成分（ｉ）と反応させて、尿素基とアルコキシシラン基とを有する化合物をさらに精製することなく生成させることができる。
本発明によれば、アルコキシシラン基とアスパルテート基とを有する化合物をポリイソシアネート成分と反応させて生成される特殊な種類の尿素基は、これら化合物を高められた温度にて必要に応じ触媒の存在下に加熱することにより公知方法にてヒダントイン基まで変換させることができる。従って「尿素基」という用語は、たとえばヒダントイン基のような基Ｎ−ＣＯ−Ｎを有する他の化合物をも包含することを意図する。
尿素基とアルコキシシラン基とを有する化合物を作成するためのポリイソシアネート成分は２．４（好ましくは２．６、より好ましくは２．８）の最小平均官能価と６（好ましくは５）の最大平均官能価とを有する。ポリイソシアネート成分は、これら要件を満たさない官能価を有するモノマージイソシアネートもしくはポリイソシアネートアダクトを含有しうるが、ただしポリイソシアネート成分の平均官能価がこれら要件を満たすものとする。
【手続補正３】
【補正対象書類名】明細書
【補正対象項目名】００１６
【補正方法】変更
【補正の内容】
【００１６】
（４）  米国特許第３，１８３，１１２号に開示された方法に従い過剰量のポリイソシアネート（好ましくはジイソシアヌレート）を低分子量のグリコールおよび４００未満の分子量を有するポリオール（たとえばトリメチロールプロパン、グリセリン、１，２−ジヒドロキシプロパンおよびその混合物）と反応させることにより作成しうるウレタン基含有ポリイソシアネート。これらウレタン基含有ポリイソシアネートは１２〜２０重量％の最も好適なＮＣＯ含有量と２．５〜３の（平均）ＮＣＯ官能価とを有する。
（５）  米国特許第３，７６９，３１８号、第４，１６０，０８０号および第４，１７７，３４２号に開示された方法に従い作成しうるアロファネート基含有ポリイソシアネート。これらアロファネート基含有ポリイソシアネートは１２〜２１重量％の最も好適なＮＣＯ含有量と２〜４．５の（平均）ＮＣＯ官能価とを有する。
（６）  米国特許第５，１２４，４２７号、第５，２０８，３３４号および第５，２３５，０１８号（その開示をここに参考のため引用する）に従い作成しうるイソシアヌレート基およびアロファネート基含有ポリイソシアネート、好ましくはこれらの基を約１０：１〜１：１０（好ましくは約５：１〜１：７）のモノイソシアヌレート基とモノアロファネート基との比にて含有するポリイソシアネート。
（７）  ジ−もしくはポリ−イソシアネートを公知のカルボジイミド化触媒の存在下にＤＥ−ＰＳ１，０９２，００７号、米国特許第３，１５２，１６２号、並びにＤＥ−ＯＳ２，５０４，４００号、第２，５３７，６８５号、および第２，５５２，３５０号に記載されたようにオリゴマー化して作成しうるカルボジイミド基含有ポリイソシアネート。
（８）  オキサジアジントリオン基を有すると共に２モルのジイソシアネートと１モルの二酸化炭素との反応生成物を含有するポリイソシアネート。
【手続補正４】
【補正対象書類名】明細書
【補正対象項目名】００１７
【補正方法】変更
【補正の内容】
【００１７】
好適ポリイソシアネートアダクトはイソシアヌレート基、ビウレット基、アロファネート基および／またはウレトジオン基を有するポリイソシアネートである。
尿素基とアルコキシシラン基とを有する化合物を水性媒体中に安定分散させうるよう使用しうる適する親水性化合物は、側鎖もしくは末端の親水性酸化エチレン単位を有する化合物および／またはイオン性基もしくは潜在的なイオン性基を有する化合物である。イオン性基または潜在的なイオン性基は陰イオン性基または陽イオン性基のいずれかとすることができ、好ましくは陰イオン性基である。陰イオン性基の例はカルボキシレート基およびスルホネート基を包含するのに対し、陽イオン性基の例はアンモニウム基およびスルホニウム基を包含する。
安定分散される化合物は、水中油型エマルジョンもしくは油中水型エマルジョンのいずれかの形態で沈降、凝集もしくは分離なしに意図する目的につき分散物を使用するのに充分な時間にわたり、水と混合し続けるものである。本発明によれば、尿素基とアルコキシシラン基とを有する化合物は、尿素基とアルコキシシラン基とを有する化合物の重量に対し最小２．５％の親水性酸化エチレン単位、または尿素基とアルコキシシラン基とを有する化合物の１００部当たり最小５ミリ当量のイオン性基をも有する。
【手続補正５】
【補正対象書類名】明細書
【補正対象項目名】００１９
【補正方法】変更
【補正の内容】
【００１９】
イオン性基は対応の潜在的イオン性基を、尿素基とアルコキシシラン基とを有する化合物の生成前、生成間またはその後に中和して成形される。潜在的イオン性基がこれら化合物中への組込に先立って中和される場合は、イオン性基が直接に組込まれる。これら化合物を生成させた後に中和を行う場合は、潜在的イオン性基が組込まれる。
カルボキシレート、スルホネート基および第四窒素基を組込むのに適する化合物は米国特許第３，４７９，３１０号、第４，１０８，８１４号および第４，３０３，７７４号（その開示を参考のためここに引用する）に記載されている。第三スルホニウム基を組込むのに適する化合物は米国特許第３，４１９，５３３号（これも参考のためここに引用する）に記載されている。ＮＣＯプレポリマー中へ組込むのに好適なスルホネート基は米国特許第４，１０８，８１４号に開示されたジオールスルホン酸もしくはジオールスルホネートである。
潜在的なイオン性基をイオン性基まで変換する中和剤は前記米国特許に記載されている。本発明の意味において、「中和剤」という用語は潜在的なイオン性基をイオン性基まで変換させるのに有用である全ての種類の薬剤を包含することを意味する。